(57)【要約】【課題】  開閉装置用建材の吊上げ作業を効率的に行う。【解決手段】  建物開口部ｘに交差してその一端側が建物開口部ｘ内に位置するとともに他端側が建物開口部ｘ外に位置するように形成された本体部材１０と、この本体部材１０の前記他端側に位置するウェイト部材２０とを備え、本体部材１０は、建物開口部ｘ内に対応する位置に建材ｂを載置するための被載置部１０ａを有するとともに、建物開口部ｘ外に対応する位置には吊持されることを可能にする被吊持部１０ｂを有し、ウェイト部材２０は、被吊持部１０ｂよりも前記他端側に位置するとともに被吊持部１０ｂからの距離を腕の長さＬとしたモーメントの調整が可能に設けられている。【選択図】  図１
2018115057.tif 000002
【特許請求の範囲】
【請求項１】
建物開口部に交差してその一端側が建物開口部内に位置するとともに他端側が建物開口部外に位置するように形成された本体部材と、この本体部材の前記他端側に位置するウェイト部材とを備え、
前記本体部材は、建物開口部内に対応する位置に建材を載置するための被載置部を有するとともに、建物開口部外に対応する位置には吊持可能な被吊持部を有し、
前記ウェイト部材は、前記被吊持部よりも前記他端側に位置するとともに、前記被吊持部からの距離を腕の長さとしたモーメントの調整を可能に設けられていることを特徴とする開閉装置用建材の吊上げ補助具。
【請求項２】
前記本体部材は、一端側に前記被載置部を有するとともに他端側に前記被吊持部を有し建物開口部の幅方向に並ぶように設けられた複数のアーム部と、これら複数のアーム部を一体に連結した連結部とを備え、前記連結部に前記被吊持部を配置していることを特徴とする請求項１記載の開閉装置用建材の吊上げ補助具。
【請求項３】
前記ウェイト部材は、前記被吊持部からの距離を調整可能に設けられていることを特徴とする請求項１又は２記載の開閉装置用建材の吊上げ補助具。
【請求項４】
請求項１乃至３何れか１項記載の開閉装置用建材の吊上げ補助具と、この吊上げ補助具を吊上げる吊上げ具とを具備したことを特徴とする開閉装置用建材の吊上げ装置。
【請求項５】
前記吊上げ具を建物開口部上方の側面に設置する工程と、前記被載置部を前記建物開口部内に配置して前記吊上げ補助具を設置する工程と、前記建物載置部に建材を載置する工程と、前記ウェイト部材のモーメントを調整して前記吊上げ装置によって前記吊上げ補助具を吊上げる工程とを含むことを特徴とする請求項４記載の開閉装置用建材の吊上げ装置を用いた建材吊上げ方法。
【発明の詳細な説明】
【技術分野】
【０００１】
本発明は、シャッター装置やオーバヘッドドア、引戸等の開閉装置や、該開閉装置が設置される開口部等に用いられる建材を吊上げるための開閉装置用建材の吊上げ補助具及び吊上げ装置並びに該吊上げ装置を用いた建材吊上げ方法に関するものである。
【背景技術】
【０００２】
例えば、図６に示すように、シャッター装置やオーバヘッドドア等の開閉装置ａを建物開口部ｘに設置する場合、該開口部ｘの内縁には、上枠（建材ｂ）と左右の側枠とからなる逆凹字状の三方枠が取り付けられる（特許文献１参照）。
特に、大型のシャッター装置やオーバヘッドドア等では、前記三方枠の上枠が高重量であるため、チェーンブロック等の吊上げ装置が必要な場合がある。このような場合、前記吊上げ装置は、建物開口部ｘ内に配置したのでは邪魔になってしまうので、建物開口部ｘ外の壁面等に装着される。そして、この吊上げ装置によって、建物開口部ｘ外側にて前記上枠が吊上げられ、この吊上げ状態のまま、前記上枠を開口部内側へずらすようにして作業が行われる。
【先行技術文献】
【特許文献】
【０００３】
【特許文献１】特開２００４ー９１１３４号公報
【発明の概要】
【発明が解決しようとする課題】
【０００４】
しかしながら、上記従来技術によれば、吊上げられた上枠を開口部内側へずらす際に、上枠が開口部内縁や開口部周辺の部材に接触したり、吊持された上枠のバランスが崩れたり等する可能性があり、より効率的でスムーズな作業が望まれる。
【課題を解決するための手段】
【０００５】
このような課題に鑑みて、本発明は、以下の構成を具備するものである。
建物開口部に交差してその一端側が建物開口部内に位置するとともに他端側が建物開口部外に位置するように形成された本体部材と、この本体部材の前記他端側に位置するウェイト部材とを備え、前記本体部材は、建物開口部内に対応する位置に建材を載置するための被載置部を有するとともに、建物開口部外に対応する位置には吊持可能な被吊持部を有し、前記ウェイト部材は、前記被吊持部よりも前記他端側に位置するとともに、前記被吊持部からの距離を腕の長さとしたモーメントの調整を可能に設けられていることを特徴とする開閉装置用建材の吊上げ補助具。
【発明の効果】
【０００６】
本発明は、以上説明したように構成されているので、開閉装置用建材の吊上げ作業を効率的に行うことができる。
【図面の簡単な説明】
【０００７】
【図１】本発明に係る吊上げ補助具及び吊上げ装置の一例を用いて上枠を吊上げている状態を示す縦断面図である。
【図２】同吊上げ補助具及び吊上げ装置による吊持状態にて、上枠を建物開口部に止着している状態を示す縦断面図である。
【図３】同吊上げ補助具の正面図である。
【図４】同吊上げ補助具の平面図である。
【図５】本発明に係る吊上げ補助具の他例を示す平面図である。
【図６】建物開口部に三方枠及び開閉装置を装着した状態を示す縦断面図である。
【発明を実施するための形態】
【０００８】
本実施の形態では、以下の特徴を開示している。
第１の特徴は、吊上げ補助具であって、建物開口部に交差してその一端側が建物開口部内に位置するとともに他端側が建物開口部外に位置するように形成された本体部材と、この本体部材の前記他端側に位置するウェイト部材とを備え、前記本体部材は、建物開口部内に対応する位置に建材を載置するための被載置部を有するとともに、建物開口部外に対応する位置には吊持可能な被吊持部を有し、前記ウェイト部材は、前記被吊持部よりも前記他端側に位置するとともに、前記被吊持部からの距離を腕の長さとしたモーメントの調整を可能に設けられている（図１〜図５参照）。
【０００９】
第２の特徴として、前記本体部材は、一端側に前記被載置部を有するとともに他端側に前記被吊持部を有し建物開口部の幅方向に並ぶように設けられた複数のアーム部と、これら複数のアーム部を一体に連結した連結部とを備え、前記連結部に前記被吊持部を配置している（図４及び図５参照）。
【００１０】
第３の特徴として、前記ウェイト部材は、前記被吊持部からの距離を調整可能に設けられている（図１及び図２参照）。
【００１１】
第４の特徴としては、上記吊上げ補助具と、この吊上げ補助具を吊上げる吊上げ具とを具備して開閉装置用建材の吊上げ装置を構成した（図１及び図２参照）。
【００１２】
第５の特徴としては、上記吊上げ装置を用いた建材吊上げ方法であって、前記吊上げ具を建物開口部上方の壁面に設置する工程と、前記被載置部を前記建物開口部内に配置して前記吊上げ補助具を設置する工程と、前記建物載置部に建材を載置する工程と、前記ウェイト部材のモーメントを調整して前記吊上げ装置によって前記吊上げ補助具を吊上げる工程とを含む（図１及び図２参照）。
【００１３】
＜具体的実施態様＞
次に、上記特徴を有する具体的な実施態様について、図面に基づいて詳細に説明する。
図１及び図２は、本発明に係る吊上げ装置の一例を示している。
この吊上げ装置Ａは、吊上げ具１と、この吊上げ具１によって吊上げられた吊上げ補助具２とを具備している。
【００１４】
吊上げ具１は、例えば、手動又は電動にてチェーン１ａを巻き上げるようにした装置（チェーンブロックと呼称される場合がある）であり、建物開口部ｘの上方の構造物や壁面等（図示例によれば、開閉装置ａが装着される基台側面）に、ブラケット１ｃ等を介して支持される。この吊上げ具１は、チェーン１ａの下端のフック１ｂに吊上げ補助具２を吊り下げている。
【００１５】
吊上げ補助具２は、建物開口部ｘに直交してその一端側が建物開口部ｘ内に位置するとともに他端側が建物開口部ｘに位置するように形成された本体部材１０と、この本体部材１０の前記他端側に位置するウェイト部材２０とを具備している。
【００１６】
本体部材１０は、建物開口部ｘ内に対応する一端側に建材ｂを載置するための被載置部１０ａを有するとともに、建物開口部ｘ外に対応する他端側に、吊持されることを可能にする被吊持部１０ｂを有し、被吊持部１０ｂよりもさらに他端側には、ウェイト部材２０を吊持するための吊持部１０ｃを有する。
より具体的に説明すれば、この本体部材１０は、建物開口部ｘの幅方向に並ぶように設けられた複数（図４によれば二つ）のアーム部１１，１１と、これらアーム部１１，１１を一体に連結した連結部１２とから一体に構成される。
【００１７】
アーム部１１は、例えば金属製のＬ字アングル等、硬質材料からなる長尺状の部材である。このアーム部１１は、図示例によれば、間隔を置いて二つ平行に設けられる。
【００１８】
連結部１２は、例えば、断面矩形枠状等の金属製の長尺部材であり、その一端側が、一方のアーム部１１の中央寄り位置に接続され、他端側が、他方のアーム部１１の略同位置に接続される。
【００１９】
これら連結部１２とアーム部１１を接続する手段は、例えば、溶接やボルト等による締結とすればよい。
上記構成によれば、これら二つのアーム部１１と連結部１２は、図４に示すように、平面視略Ｈ字状に構成され、各アーム部１１の一端側と他端側にそれぞれ被載置部１０ａと吊持部１０ｃを有し、連結部１２の中央側に被吊持部１０ｂを有する。
なお、アーム部１１及び連結部１２を構成する部材の他例としては、Ｈ形鋼や、溝形鋼、その他の長尺部材とすることが可能である。
【００２０】
被載置部１０ａは、建物開口部ｘ内側に対応する位置において、複数のアーム部１１の上面に平坦状に設けられる。
被吊持部１０ｂは、連結部１２の略中央部に、上向きに止着された被掛止具（例えばアイボルト）により構成される。
【００２１】
吊持部１０ｃは、各アーム部１１における連結部１２よりも前記他端側において、下向きに止着された被掛止具１０ｃ１（図示例によればアイボルト）によって構成される。これら被掛止具１０ｃ１は、アーム部１１の長手方向に間隔を置いて複数設けられる。
【００２２】
ウェイト部材２０は、金属等の高重量物からなる錘本体２１と、該錘本体２１の上端に接続されたフック２２とから一体的に構成される。
連結部１２は、図示例によれば、矩形立方体状に形成される。
フック２２は、その開口部分に外れ防止金具を有するものである。
【００２３】
このウェイト部材２０は、複数の吊持部１０ｃに対し選択的に吊持されることで、当該ウェイト部材２０の重量を荷重とし、且つ支点となる被吊持部１０ｂからの距離を腕の長さＬとしたモーメントの調整を可能にしている。
【００２４】
また、吊上げ装置Ａの吊上げ対象物である建材ｂは、図示例によれば、建物開口部ｘの上縁に装着される上枠である。この上枠は、建物開口部ｘに開閉装置ａを設置する際に、建物開口部ｘ内に嵌め合わせられて三方枠を構成する（図６参照）。
【００２５】
次に、上記構成の吊上げ装置Ａを用いて、建材ｂを吊り上げて、建物開口部ｘの上内縁に止着する手順について説明する。
【００２６】
ブラケット等を介して吊上げ具１を建物開口部ｘ上方の壁面（詳細には開閉装置ａを装着するための基台側面）に固定し、吊上げ具１のチェーン１ａ及びフック１ｂを下方へ垂れ下げる。
一方、建物開口部ｘ内の下方側の床面等には、被載置部１０ａを建物開口部ｘ内に配置するようにして、吊上げ補助具２が載置され、この吊上げ補助具２の被吊持部１０ｂに、吊上げ具１のフック１ｂが掛止される。
【００２７】
次に、吊上げ補助具２における左右の本体部材１０，１０の被載置部１０ａ，１０ａ間にわたって、建材ｂが載置される。
【００２８】
次に、ウェイト部材２０のモーメントを調整して吊上げ具１によって吊上げ補助具２を吊上げる。
詳細に説明すれば、吊上げ具１によって吊上げ補助具２の被吊持部１０ｂを少しだけ吊上げ、両アーム１１，１１が長手方向において略水平になるように、ウェイト部材２０の位置（長さＬ）を調整する。アーム部１１，１１が略水平に保持されるようになったら、吊上げ具１による吊上げ上昇を継続する。
【００２９】
そして、吊上げ具１が建物開口部ｘの上内縁に近接した状態で、前記上内縁に予め接続固定したブラケットｃ（図示例によればＬ字アングル）に対し、止着具ｄ（例えば、ネジやボルト等）によって建材ｂを止着し固定する（図２参照）。
【００３０】
よって、上記構成の吊上げ装置Ａ及び吊上げ方法によれば、建材ｂを略垂直に持ち上げた後、開口部内側へずらす作業を要することなく、そのまま、建物開口部ｘの上内縁に接続し固定することができ、その作業を効率的且つスムーズに行うことができる。
【００３１】
なお、上記作業中、ウェイト部材２０は、予め吊上げ補助具２の適宜位置に装着しておいてもよいし、吊上げ補助具２を途中まで吊上げた状態で該吊上げ補助具２に装着するようにしてもよい。
【００３２】
次に、本発明に係る吊上げ補助具の他例について説明する。
図５は、本発明に係る吊上げ補助具の他例を示す。
この吊上げ補助具３は、吊上げ補助具２に対し一部の構成を変更したものであるため、同様に機能する部分については同一の符号を付けることで詳細説明を省略する。
【００３３】
吊上げ補助具３は、上記構成の吊上げ補助具２に対し、上記本体部材１０を、二つのアーム部１４，１４と単数のアーム部１５からなる本体部材１０’に置換し、アーム部１５のみにウェイト部材２０を掛止している。
【００３４】
アーム部１４は、連結部１２の両端側にそれぞれ接続固定される。
各アーム部１４は、上記アーム部１１の一端側と同様に、建物開口部ｘ内に対応する位置の上面を、建材ｂを載置するための被載置部１０ａとしている。
【００３５】
また、他のアーム部１５は、連結部１２の略中央側に接続され、アーム部１４の延設方向とは逆の方向へ延設している。
このアーム部１５は、上記アーム部１１の他端側と同様に、複数の被掛止具１０ｃ１からなる吊持部１０ｃを有する。そして、選択された何れかの被掛止具１０ｃ１には、ウェイト部材２０が掛止される。
【００３６】
よって、図５に示す吊上げ補助具３によれば、上記吊上げ補助具２と同様にして建材ｂを吊上げる作業を行える上、幅方向中央寄りの単一のウェイト部材２０のみの位置を調整すればよいので、その作業をいっそうスムーズに行うことができる。
【００３７】
なお、上記実施の形態によれば、上述した吊上げ作業中にウェイト部材２０の装着位置を調整するようにしたが、他例としては、ウェイト部材２０の装着位置を、建材ｂの重量や型番等、該建材ｂ特有のデータに応じて、予め実験又は計算によって求めておき、この位置にある被掛止具１０ｃ１にウェイト部材２０を掛止するようにしてもよい。
【００３８】
また、上記実施の形態によれば、複数の被掛止具１０ｃ１を選択的に用いてウェイト部材２０を掛止するようにしたが、他例としては、ウェイト部材２０をアーム部の延設方向へ連続的に移動して位置調整するようにしてもよい。より具体的には、アーム部に、その延設方向に沿うスライドレールを設け、このスライドレールに沿って摺動するようにウェイト部材２０を係合すればよい。
【００３９】
また、上記実施の形態によれば、ウェイト部材２０の位置により、ウェイト部材２０によるモーメント調整を行うようにしたが、他例としては、ウェイト部材２０の重量を変化させて、該ウェイト部材２０によるモーメント調整が行われるようにしてもよい。
ウェイト部材２０の重量を変化させる手段は、例えば、ウェイト部材２０を重量の異なるものに付け替えるようにした態様や、一つの被掛止具１０ｃ１に掛止されるウェイト部材２０を、複数着脱可能に連結した等とすればよい。
さらに、他の手段としては、アーム部毎の複数の被掛止具１０ｃ１に、複数のウェイト部材２０をそれぞれ対応させて掛止し、これらウェイト部材２０の数の調整により、モーメント調整が行われるようにしてもよい。
【００４０】
また、上述した吊上げ補助具２では、アーム部１１を左右に二つ設けるようにしたが、他例としては、アーム部１１を間隔を置いて三以上設けるようにしてもよい。さらに他例としては、単数のアーム部１１に被載置部１０ａ，被吊持部１０ｂ及び吊持部１０ｃ等を設けた態様とすることも可能である。
【００４１】
また、建材ｂの他例としては、前記上枠を建物開口部ｘ上縁に装着するためのブラケットや、シャッターケース、シャッター装置用の巻取軸等、前記上枠以外の開閉装置用建材とすることも可能である。
【００４２】
また、本発明は上述した実施形態に限定されず、本発明の要旨を変更しない範囲で適宜変更可能である。
【符号の説明】
【００４３】
１：吊上げ具
２，３：吊上げ補助具
１０：本体部材
１０ａ：被載置部
１０ｂ：被吊持部
１０ｃ：吊持部
１１，１４，１５：アーム部
１２：連結部
２０：ウェイト部材
ａ：開閉装置
ｂ：建材
ｘ：建物開口部
Ａ：吊上げ装置
Ｌ：長さ
【図１】
2018115057.tif 000003
【図２】
2018115057.tif 000004
【図３】
2018115057.tif 000005
【図４】
2018115057.tif 000006
【図５】
2018115057.tif 000007
【図６】
2018115057.tif 000008